(57)【要約】      （修正有）【課題】現金自動預払機による振込取引における顧客の利便性を向上させる手段を提供する。【解決手段】Ｓ１７、過去振込情報を抽出した主制御部は、抽出した過去振込情報の各振込日とその振込情報の受取人名により過去振込一覧表の表示データを生成し、この過去振込一覧表を表示した取引媒体受取依頼画面を顧客操作部の画面に表示して顧客に注意を促す。顧客は、過去振込一覧表に表示された過去の振込情報により振込取引を行うときは、過去振込一覧表の当該振込取引の表示欄を選択する。振込取引を行わないときは「取消」ボタンを押下する。Ｓ１８、主制御部は、「取消」ボタンの押下を認識した場合は、ステップＳ２５へ移行する。振込取引の表示欄の選択を認識したときは、過去の振込情報による振込取引を行うことを判定してステップＳ１９へ移行する。【選択図】図３
2008077193.tif 000002
【特許請求の範囲】
【請求項１】
顧客との取引を自動で行う自動取引装置において、
顧客が行った振込取引の振込日に対応させた振込情報を振込履歴情報として記録する取引カードを設け、
顧客が振込取引以外の他の取引を選択したときに、前記取引カードから前記振込履歴情報を読取る手段と、
該読取った振込履歴情報を保存する手段と、
現在日を認識する手段と、
前記選択された他の取引の終了時に、前記保存した振込履歴情報から前記現在日の近傍期間の過去振込情報を抽出する手段と、
該抽出された過去振込情報を表示し、注意を促す手段と、
該表示した過去振込情報の一つが選択されたときに、該選択された過去振込情報の振込情報に基づいて振込取引を実行する手段と、を備えることを特徴とする自動取引装置。
【請求項２】
請求項１において、
顧客が振込取引を選択したときに、前記取引カードから前記振込履歴情報を読取る手段と、
該読取った振込履歴情報を表示する手段と、
該表示した振込履歴情報の一つが選択されたときに、該選択された振込履歴情報の振込情報に基づいて振込取引を実行する手段と、を備えることを特徴とする自動取引装置。
【発明の詳細な説明】
【技術分野】
【０００１】
本発明は、金融機関等の店舗に設置され、顧客との取引を自動で行う現金自動預払機等の自動取引装置に関する。
【背景技術】
【０００２】
従来の現金自動預払機においては、顧客が振込取引を選択した場合に、顧客に取引カードおよび振込カードを挿入させ、それぞれに記録されたカード情報および振込情報に基づいて振込取引を実行している（例えば、特許文献１参照。）。
【特許文献１】特開２００４−１０２３６４号公報（主に第４頁段落００１３−第６頁段落００３４、第１図）
【発明の開示】
【発明が解決しようとする課題】
【０００３】
しかしながら、上述した従来の技術においては、顧客が振込取引を選択したときに、顧客の取引カードおよび振込カードに記録されたカード情報および振込情報に基づいて振込取引を実行しているため、家賃の振込やリース費用の振込等の定期的に振込が必要となる振込取引があるときに、顧客が多忙な時期等と重なるとそれらの振込を失念してしまう場合があり、顧客の利便性を低下させるという問題がある。
【０００４】
また、振込カードは、一般に一つの振込情報が記録され、かつ作成した金融機関のみでしか使用することができず、振込カードによる振込取引を行う場合にはその金融機関に出向く必要があり、近隣の他行で振込取引を行う場合には、振込情報を全て手入力する必要があり、顧客の利便性を低下させるという問題がある。
本発明は、上記の問題点を解決するためになされたもので、自動取引装置による振込取引における顧客の利便性を向上させる手段を提供することを目的とする。
【課題を解決するための手段】
【０００５】
本発明は、上記課題を解決するために、顧客との取引を自動で行う自動取引装置において、顧客が行った振込取引の振込日に対応させた振込情報を振込履歴情報として記録する取引カードを設け、顧客が振込取引以外の他の取引を選択したときに、前記取引カードから前記振込履歴情報を読取る手段と、該読取った振込履歴情報を保存する手段と、現在日を認識する手段と、前記選択された他の取引の終了時に、前記保存した振込履歴情報から前記現在日の近傍期間の過去振込情報を抽出する手段と、該抽出された過去振込情報を表示し、注意を促す手段と、該表示した過去振込情報の一つが選択されたときに、該選択された過去振込情報の振込情報に基づいて振込取引を実行する手段と、を備えることを特徴とする。
【発明の効果】
【０００６】
これにより、本発明は、自動取引装置により他の取引を行った顧客に対して振込取引に関する注意を喚起することができ、顧客が多忙な時期であっても定期的な振込取引の振込み忘れを防止することができると共に、取引カードに直接記録した振込履歴情報により他行においても、自行においても振込履歴情報の複数の振込情報を利用した振込取引を行うことが可能になり、振込取引における顧客の利便性を向上させることができるという効果が得られる。
【発明を実施するための最良の形態】
【０００７】
以下に、図面を参照して本発明による自動取引装置の実施例について説明する。
【実施例】
【０００８】
図１は実施例の現金自動預払機を示すブロック図、図２は実施例の取引カードを示す説明図、図３は実施例の取引処理を示すフローチャートである。
図１において、１は自動取引装置としての現金自動預払機であり、銀行等の金融機関や郵政公社等（金融機関等という。）の支店や郵便局、コンビニエンスストア等の店舗に設置され、顧客との間での取引を自動で行う。
【０００９】
２は金融機関等のセンタに設置された上位装置としてのホストコンピュータであり、店舗に設置されている現金自動預払機１と専用回線や電話回線等の通信回線３を介して接続しており、顧客の口座の店番号や口座番号等の口座情報やその暗証番号、口座残高等の顧客情報を保有して顧客の口座を管理する。
５は現金自動預払機１の主制御部であり、通信回線３を介してホストコンピュータ２と接続しており、現金自動預払機１内の各部を制御して取引処理等を実行すると共にデータ通信等も制御する。
【００１０】
６は記憶部であり、主制御部５が実行するプログラムやそれに用いる各種のデータおよび主制御部５による処理結果等が格納される。
７は顧客操作部であり、ＣＲＴやＬＣＤ等の表示画面とタッチパネル等の入力手段との組合せで構成されており、表示画面に取引選択画面や各種の入力画面、顧客の処置を促す画面等を表示する他、入力手段により顧客からの入力を受付ける。
【００１１】
８はカード取扱部であり、挿入された顧客のキャッシュカード等の後述する取引媒体としての取引カード１５に記録された情報を読み書きする機能を有すると共に、取引媒体としての明細票に取引内容等を印刷する機能等を有している。
９は通帳取扱部であり、挿入された取引媒体としての顧客の通帳の磁気ストライプやＩＣチップ等に記録されている通帳情報を読み書きする機能を有すると共に取引内容等を通帳に記帳する機能を有している。
【００１２】
１０は紙幣入出金部であり、顧客が投入した取引媒体としての紙幣を受入れ、これを鑑別および計数して収納し、顧客に支払う紙幣を計数して顧客に引渡す機能を有している。
１１は硬貨入出金部であり、顧客が投入した取引媒体としての硬貨を受入れ、これを鑑別および計数して収納し、顧客に支払う硬貨を計数して顧客に引渡す機能を有している。
１２は時計部であり、水晶発振器等を有する周波数発生器とカレンダを格納したメモリ等を備えており、発生した周波数を基に時間を計数し、現在日時を主制御部５へ出力する機能を有している。
【００１３】
取引カード１５は、図２に示すように、記録部１６を有するＩＣチップ１７が搭載された接触型のＩＣカードで形成されており、その記録部１６には、顧客ＩＤや顧客の口座情報等の通常のカード情報を記録するカード情報記録エリア１８、および顧客が過去に行った振込取引の振込情報をその振込日に対応させて振込履歴情報として記録する振込履歴情報記録エリア１９が確保されている。
【００１４】
本実施例の振込履歴情報記録エリア１９には、顧客が振込取引を行った日付（年月日を含む。）である振込日に対応させて、受取人の氏名または名称（受取人名という。）、その振込先金融機関名と振込先支店名、振込先口座番号等の振込先情報、および振込金額、および依頼人の氏名または名称（依頼人名という。）等からなる振込情報が複数記録されている。
【００１５】
上記の現金自動預払機１の記憶部６には、予め顧客との間で各種の取引を行うための通常の取引処理プログラムに、振込取引以外の他の出金取引や残高照会取引等のときに、取引カード１５に記録されている振込履歴情報から近傍期間の振込情報を抽出してその過去振込情報を顧客に報知して振込取引を行う機能を有するアプリケーションプログラム、振込取引のときに取引カード１５に記録されている振込履歴情報を用いて振込取引を行う機能を有するアプリケーションプログラム等が追加された取引処理プログラムが格納されており、主制御部５が実行する取引処理プログラムのステップにより本実施例の現金自動預払機１のハードウェアとしての各機能手段が形成される。
【００１６】
以下に、図３に示すフローチャートを用い、Ｓで示すステップに従って本実施例の取引処理について説明する。
金融機関等の店舗の係員が、始業時等に現金自動預払機１へ電源を投入すると、現金自動預払機１の記憶部６に格納されている取引処理プログラムが自動的に起動される。
Ｓ１、取引処理プログラムが起動すると、現金自動預払機１の主制御部５は、顧客操作部７の画面に取引選択画面を表示して待機する。
【００１７】
取引選択画面には、出金取引のための「お引き出し」ボタン、入金取引のための「お預け入れ」ボタン、振込取引のための「振込」ボタン、通帳に未記入の取引データを記帳するための「通帳記帳」ボタンおよび口座残高を照会するための「残高照会」ボタン等の取引を選択するための取引選択ボタンが表示されている。
顧客は、顧客操作部７の入力手段により顧客が希望する取引の取引選択ボタンを押下する。
【００１８】
Ｓ２、入力手段からの信号により顧客の選択した取引の内容を認識した主制御部５は、認識した取引が振込取引のときはステップＳ３へ移行する。
認識した取引が振込取引以外の他の取引のときは、ステップＳ１１へ移行する。
Ｓ３、顧客が選択した取引を振込取引と認識した主制御部５は、顧客操作部７の画面にカード振込または現金振込を選択するための決済方法選択画面を表示する。
【００１９】
本実施例では、顧客はカード振込を選択する。
カード振込が選択されたことを認識した主制御部５は、顧客操作部７の画面に取引カード１５の挿入を促す旨の文言を表示した取引カード挿入依頼画面を表示し、顧客はこれに従って取引カード１５をカード取扱部８に挿入する。
このとき、主制御部５はカード取扱部８により取引カード１５のＩＣチップ１７の記録部１６のカード情報記録エリア１８に記録されているカード情報を読取ると共に、その振込履歴情報記録エリア１９に記録されている全ての振込履歴情報を読取り、読取ったカード情報および振込履歴情報を記憶部６に保存する。
【００２０】
Ｓ４、カード情報および振込履歴情報を保存した主制御部５は、顧客操作部７の画面に顧客に暗証番号の入力を促す旨の文言およびその入力のためのテンキー等を表示した暗証番号入力画面を表示し、顧客はテンキー等によって暗証番号を入力する。
入力された暗証番号を認識した主制御部５は、その暗証番号を記憶部６に保存する。
Ｓ５、主制御部５は、取引カード１５に振込履歴情報が記録されていない場合は、ステップＳ１０へ移行する。取引カード１５に振込履歴情報が記録されている場合はステップＳ６へ移行する。
【００２１】
Ｓ６、取引カード１５に振込履歴情報が記録されていることを認識した主制御部５は、記憶部６に保存した振込履歴情報の各振込日とその振込情報の受取人名により振込履歴一覧表の表示データを生成し、これを顧客操作部７に送出してその画面に振込履歴一覧表および「取消」ボタン等を表示した振込履歴一覧画面を表示する。
顧客は、振込履歴一覧表に表示された過去の振込情報により振込取引を行うときは、振込履歴一覧表の当該振込取引の表示欄を選択する。振込取引を行わないときは「取消」ボタンを押下する。
【００２２】
Ｓ７、主制御部５は、「取消」ボタンの押下を認識した場合はステップＳ１０へ移行する。振込取引の表示欄の選択を認識したときは過去の振込情報による振込取引を行うことを判定してステップＳ８へ移行する。
Ｓ８、過去の振込情報による振込取引を行うことを判定した主制御部５は、選択された表示欄の振込日および受取人名を基に当該振込情報を特定し、その振込情報を表示した振込情報確認画面を顧客操作部７の画面に表示する。
【００２３】
振込情報確認画面には、振込情報の確認を促す旨の文言、および当該振込情報の受取人名、振込先金融機関名、振込先支店名、振込先口座番号、依頼人名、振込金額、並びに振込情報の訂正を指示するための「訂正」ボタン、表示内容を確認したことを指示するための「確認」ボタン等が表示される。
顧客は振込金額等の振込情報を訂正するときは、訂正する項目を選択して「訂正」ボタンを押下し、表示されたその項目の振込情報訂正画面によりその項目の内容を訂正し、項目の内容を訂正して再表示された振込情報確認画面の「確認」ボタンを押下する。
【００２４】
Ｓ９、「確認」ボタンが押下されたことを認識した主制御部５は、振込情報が確定されたことを認識し、その振込情報を基に振込取引を実行する。
すなわち、主制御部５は、記憶部６に保存したカード情報および暗証番号を読出し、これらに確定された振込情報を添付した振込取引の取引電文を作成し、これを通信回線３を介してホストコンピュータ２へ送信する。
【００２５】
振込取引の取引電文を受信したホストコンピュータ２は、振込取引電文に含まれるカード情報を基に顧客情報を検索して該当する顧客情報の暗証番号と振込取引電文の暗証番号を照合し、暗証番号が一致する場合は顧客を認証し、顧客の口座から振込金額や手数料を引落して顧客の口座残高を更新し、振込先情報の金融機関に対して振込先情報と依頼人名を添付して振込金額の入金を依頼し、振込取引が成立した旨を振込取引結果通知電文として通信回線３を介して送信元の現金自動預払機１へ送信する。
【００２６】
振込取引が成立した旨の振込取引結果通知電文を受信した主制御部５は、振込情報等を基に印刷データを生成し、これをカード取扱部８により明細票に印刷し、印刷した明細票をカード取扱部８に待機させてステップＳ２２へ移行する。
Ｓ１０、取引カード１５に振込履歴情報が記録されていないこと、または振込履歴一覧表に表示された過去の振込情報が選択されなかったことを認識した主制御部５は、手入力による振込取引を実行する。
【００２７】
すなわち、主制御部５は、顧客操作部７の画面に受取人名、振込先金融機関名、振込先支店名、振込先口座番号、依頼人名、振込金額等の各入力画面を順に表示し、顧客によるそれぞれの入力が終了したことを認識したときに、上記ステップＳ８と同様の振込情報確認画面を表示し、表示した振込情報が確定されたときに上記ステップＳ９と同様にして入力された振込情報を基に振込取引を実行し、振込取引が成立した旨の振込取引結果通知電文を受信したときに、ステップＳ９と同様にして振込情報等を印刷した明細票をカード取扱部８に待機させてステップＳ２２へ移行する。
【００２８】
Ｓ１１、上記ステップＳ２において、顧客の選択した取引を他の取引、例えば出金取引と認識した主制御部５は、上記ステップＳ３と同様にして、取引カード１５に記録されているカード情報および全ての振込履歴情報を読取り、読取ったカード情報および振込履歴情報を記憶部６に保存する。
Ｓ１２、カード情報および振込履歴情報を保存した主制御部５は、上記ステップＳ４と同様にして、入力された暗証番号を記憶部６に保存する。
【００２９】
Ｓ１３、暗証番号を保存した主制御部５は、選択された他の取引の取引処理を通常の場合と同様に実行する。
例えば、出金取引が選択された場合には、主制御部５は、顧客操作部７の画面に出金金額入力画面を表示して顧客に出金金額を入力させ、記憶部６に保存したカード情報および暗証番号を読出し、これらに入力された出金金額を添付した出金取引の取引電文を作成し、これを通信回線３を介してホストコンピュータ２へ送信する。
【００３０】
出金取引の取引電文を受信したホストコンピュータ２は、取引電文に含まれるカード情報を基に顧客情報を検索して該当する顧客情報の暗証番号と取引電文の暗証番号とを照合し、暗証番号が一致した場合は顧客を認証し、該当する顧客情報の口座残高を更新して取引許可の旨を電文にした取引可否電文を作成し、これを通信回線３を介して送信元の現金自動預払機１へ送信する。
【００３１】
取引許可の旨の取引可否電文を受信した主制御部５は出金処理を行い、出金金額に相当する現金を紙幣入出金部１０および硬貨入出金部１１からそれぞれ計数して繰出し、これらをそれぞれの入出金口に集積して待機させると共に、取引内容等を基に印刷データを生成し、これをカード取扱部８により明細票に印刷し、印刷した明細票をカード取扱部８に待機させる。
【００３２】
なお、顧客の選択した他の取引が、入金取引等の場合も、通常の入金取引等の取引処理と同様にしてその取引を実行し、取引媒体としての明細票等をカード取扱部８等に待機させる。
Ｓ１４、選択された出金取引等の他の取引の取引処理と並行して、主制御部５は時計部１２により現在日時を認識して記憶部５に保存した振込履歴情報を検索し、認識した現在年月日の現在日の前後の所定の期間（近傍期間という。）に属する振込日に対応させて記録されている振込情報を、過去の所定の月数遡って特定し、これらを過去振込情報として抽出する。
【００３３】
本実施例の近傍期間の所定の期間は１週間、つまり７日に設定され、過去の所定の月数は６月に設定されている。例えば、現在年月日が平成１８年８月２１日の場合は、現在日２１日の前後１週間の１４日〜２８日の近傍期間の振込日の振込情報を平成１８年２月まで遡って抽出する。
Ｓ１５、主制御部５は、過去振込情報が存在しない場合はステップＳ１６へ移行する。過去振込情報が抽出された場合はステップＳ１７へ移行する。
【００３４】
Ｓ１６、過去振込情報が存在しないことを認識した主制御部５は、顧客操作部７の画面に他の取引の取引媒体の受取りを促す旨の文言を表示した取引媒体受取依頼画面を表示してステップＳ２５へ移行する。
例えば、上記の出金取引の場合は、取引媒体受取依頼画面には現金や取引カード１５、通帳、明細票の受取りを促す旨の文言が表示される。
【００３５】
Ｓ１７、過去振込情報を抽出した主制御部５は、抽出した過去振込情報の各振込日とその振込情報の受取人名により過去振込一覧表の表示データを生成し、この過去振込一覧表を表示した図４に示す取引媒体受取依頼画面を顧客操作部７の画面に表示して顧客に注意を促す。
本実施例の他の取引は出金取引であるので、本ステップにおける取引媒体受取依頼画面には、ステップＳ１６と同様の文言に加えて、表示された過去振込一覧表の表示欄を選択すればその振込情報による振込取引が可能であり、この場合には取引カード１５は排出されない旨の文言が表示されると共に、過去振込一覧表および「取消」ボタン等が表示される。
【００３６】
顧客は、過去振込一覧表に表示された過去の振込情報により振込取引を行うときは、過去振込一覧表の当該振込取引の表示欄（本実施例では、振込日の表示欄）を選択する。振込取引を行わないときは「取消」ボタンを押下する。
Ｓ１８、主制御部５は、「取消」ボタンの押下を認識した場合は、ステップＳ２５へ移行する。振込取引の表示欄の選択を認識したときは、過去の振込情報による振込取引を行うことを判定してステップＳ１９へ移行する。
【００３７】
Ｓ１９、過去の振込情報による振込取引を行うことを判定した主制御部５は、取引カード１５を除く、他の取引の取引媒体を当該部位から排出する。
例えば、上記の出金取引の場合は、紙幣入出金部１０および硬貨入出金部１１に待機させていた現金をそれぞれの入出金口を開放して顧客に引渡すと共に、通帳や出金取引の明細票を通帳取扱部９やカード取扱部８から排出する。
【００３８】
主制御部５は、顧客が取引カード１５を除く他の取引の取引媒体を受取ったことを確認してステップＳ２０へ移行する。
Ｓ２０、取引カード１５を除く他の取引の取引媒体の受取りを確認した主制御部５は、選択された表示欄の振込日および受取人名を基に当該振込情報を特定し、その振込情報を表示した上記ステップＳ８と同様の振込情報確認画面を表示し、顧客は必要に応じて表示された振込情報の訂正を行い、振込情報確認画面の「確認」ボタンを押下する。
【００３９】
Ｓ２１、振込情報が確定されたことを認識した主制御部５は、その振込情報を基に上記ステップＳ９と同様にして振込取引を実行し、振込情報等を印刷した明細票をカード取扱部８に待機させてステップＳ２２へ移行する。
Ｓ２２、振込取引における振込情報等を印刷した明細票をカード取扱部８に待機させた主制御部５は、顧客操作部７の画面に実行した振込取引の振込情報の取引カード１５への登録の要否を選択する指示ボタン等を表示した取引媒体受取依頼画面としての登録要否選択画面を表示する。
【００４０】
登録要否選択画面には、明細票および取引カードの受取りを促す旨の文言および振込情報の登録の要否の選択を促す旨の文言、並びに振込情報を登録することを指示するための「登録する」ボタン、および振込情報を登録しないことを指示するための「登録しない」ボタンが表示され、顧客は振込情報を登録するときは「登録する」ボタンを、振込情報を登録しないときは「登録しない」ボタンを押下する。
【００４１】
Ｓ２３、主制御部５は「登録する」ボタンの押下を認識したときは、実行した振込情報の登録が必要と判定してステップＳ２４へ移行する。「登録しない」ボタンの押下を認識したときは実行した振込情報の登録を不要と判定してステップＳ２５へ移行する。
Ｓ２４、実行した振込情報の登録が必要と判定した主制御部５は、時計部１２により現在日時を認識し、その現在年月日を振込日とし、これに対応させて実行した振込取引の振込情報を、カード取扱部８によりそこに待機させている取引カード１５の記録部１６の振込履歴情報記録エリア１９に書込んで登録し、ステップＳ２５へ移行する。
【００４２】
この場合に、取引カード１５の振込履歴情報記録エリア１９に新たな振込履歴情報を書込む余地がないときは、その旨および記録されている全ての振込履歴情報を表示して不要になった振込情報を消去するようにするとよい。
Ｓ２５、上記ステップＳ１６、Ｓ１８、Ｓ２３、Ｓ２４から移行した主制御部５は、待機させた取引媒体を当該部位から排出する。
【００４３】
すなわち、主制御部５は、ステップＳ１６、Ｓ１８から移行した場合は、ステップＳ１６、Ｓ１７の取引媒体受取依頼画面で表示した取引媒体（他の取引が出金取引のときは、現金や取引カード１５、通帳、出金取引の明細票）を当該部位から排出する。
また、主制御部５は、ステップＳ２３、Ｓ２４から移行した場合は、ステップＳ２２の取引媒体受取依頼画面としての登録要否選択画面で表示した取引媒体（振込取引の明細票と取引カード１５）を当該部位（カード取扱部８）から排出する。
【００４４】
そして、主制御部５は、顧客が排出された取引媒体を受取ったことを確認して取引処理を終了させてステップＳ１へ戻り、顧客操作部７の画面に取引選択画面を表示して待機する。
上記のように、本実施例の取引処理においては、振込取引以外の他の取引が選択されたときに、他の取引の終了時に、取引カード１５に記録されている振込履歴情報から、現在日の前後１週間の近傍期間の過去振込情報を抽出して顧客操作部７の画面に表示するので、現金自動預払機１により他の取引を行った顧客に対して振込取引に関する注意を喚起することができ、顧客が多忙な時期であっても、定期的な振込取引の振込み忘れを防止して顧客の利便性を向上させることができる共に、現在日の前の１月間の振込済みの過去振込情報が表示される機会が少なくなり、顧客の煩わしさを軽減することができる。
【００４５】
また、振込履歴情報を取引カード１５に直接記録するので、近隣の他行で振込取引を行う場合においても、過去の複数の振込取引における振込情報を利用することが可能になると共に、自行における振込取引においても顧客は過去の複数の振込取引における振込情報を利用することが可能になり、振込情報の手入力を毎回行う必要がなくなり、入力ミスの発生を防止しながら振込取引時における顧客の利便性を向上させることができる。
【００４６】
なお、本実施例では、上記ステップＳ１５において、過去振込情報が抽出された場合にステップＳ１７へ移行するとして説明したが、過去振込情報が抽出された場合に、図５に示す過去振込情報が存在する旨の文言、および「振込実行」ボタン、「取消」ボタンを表示した振込取引問合せ画面を表示して顧客に注意を促し、「振込実行」ボタンが押下された場合にステップＳ１７へ移行して図４に示す取引媒体受取依頼画面を表示し、「取消」ボタンが押下された場合にはステップＳ１６に移行するようにしてもよい。
【００４７】
以上説明したように、本実施例では、現金自動預払機で用いる取引カードに、顧客が行った振込取引の振込日に対応させた振込情報を振込履歴情報として記録し、顧客が振込取引以外の取引を選択したときに、取引カードから読取った振込履歴情報を記録部に保存しておき、選択された他の取引の終了時に、保存した振込履歴情報から現在日の近傍期間の過去振込情報を抽出して表示し、表示した過去振込情報の一つが選択されたときに、選択された過去振込情報に基づいて振込取引を実行するようにしたことによって、現金自動預払機により他の取引を行った顧客に対して振込取引に関する注意を喚起することができ、顧客が多忙な時期であっても定期的な振込取引の振込み忘れを防止することができると共に、取引カードに直接記録した振込履歴情報により他行においても、自行においても振込履歴情報の複数の振込情報を利用した振込取引を行うことが可能になり、振込取引における顧客の利便性を向上させることができる。
【００４８】
なお、上記実施例においては、過去振込情報を抽出する近傍期間の所定の期間が前後１週間であるとして説明したが、所定の期間は前後５日や１０日等であってもよい。
また、上記実施例においては、近傍期間の過去振込情報を抽出ために遡る所定の月数は半年であるとして説明したが、１月や３月もしくは１年等であってもよく、遡る所定の月数を定めずに記録されている全ての振込履歴情報から抽出するようにしてもよい。
【００４９】
更に、上記実施例においては、取引カードは接触型のＩＣカードであるとして説明したが、非接触型のＩＣカードであってもよい。
【図面の簡単な説明】
【００５０】
【図１】実施例の現金自動預払機を示すブロック図
【図２】実施例の取引カードを示す説明図
【図３】実施例の取引処理を示すフローチャート
【図４】実施例の取引媒体受取依頼画面の表示例を示す説明図
【図５】実施例の振込取引問合せ画面の表示例を示す説明図
【符号の説明】
【００５１】
１    現金自動預払機
２    ホストコンピュータ
３    通信回線
５    主制御部
６    記憶部
７    顧客操作部
８    カード取扱部
９    通帳取扱部
１０  紙幣入出金部
１１  硬貨入出金部
１２  時計部
１５  取引カード
１６  記録部
１７  ＩＣチップ
１８  カード情報記録エリア
１９  振込履歴情報記録エリア
【図１】
2008077193.tif 000003
【図２】
2008077193.tif 000004
【図３】
2008077193.tif 000005
【図４】
2008077193.tif 000006
【図５】
2008077193.tif 000007